(57)【要約】【課題】ＧＰＳの利用できない森林内においても天頂角別光環境の空間分布を容易に測定できるようにすることにある。【解決手段】光環境の測定用の測定機器と、前記測定機器を搭載し、一つの車輪で接地して走行する移動用一輪車４とを具え、前記測定機器は、超広角レンズ5aを装着され、その超広角レンズ5aを上方へ向けられたデジタルカメラ５と、デジタルカメラ５が撮影して出力した光データをそのデジタルカメラの位置および撮影方向と併せて記録する光データ記録装置７と、を有し、移動用一輪車４は、その一輪車の加速度および回転角をそれぞれ検出する加速度センサ９および回転角センサ10からの自律航法用情報と、車輪回転センサ８からの移動距離情報とに基づき、デジタルカメラ５による撮影の際のそのデジタルカメラ５の位置および撮影方向を求めて光データ記録装置７に与える測定位置・方向演算装置７を有することを特徴とする、移動式光環境測定装置である。【選択図】図１
2005291734.tif 000002
【特許請求の範囲】
【請求項１】
光環境の測定用の測定機器と、
前記測定機器を搭載し、一つの車輪で走行面に接して走行する移動用一輪車と、を具え、
前記測定機器は、
超広角レンズを装着され、その超広角レンズを上方へ向けられたデジタルカメラと、
前記デジタルカメラが撮影して出力した光データを前記デジタルカメラの位置および撮影方向と併せて記録する光データ記録装置と、を有し、
前記移動用一輪車は、
互いに直角な三軸周りの前記移動用一輪車の回転角を検出する回転角センサと、
前記車輪の回転を検出する車輪回転センサと、
前記回転角センサからの自律航法用情報と、前記車輪回転センサからの移動距離情報とに基づき、前記デジタルカメラによる撮影の際のそのデジタルカメラの位置および撮影方向を求めて前記光データ記録装置に与える測定位置・方向演算装置と、を有することを特徴とする、移動式光環境測定装置。
【請求項２】
前記測定位置・方向演算装置は、
前記移動用一輪車の位置を継続的に求め、その位置の変化に基づき前記移動用一輪車の移動経路を求める移動経路演算部と、
前記求められた移動経路を画面上に出力する移動経路表示部と、
を有することを特徴とする、請求項１から５までの何れか記載の移動式光環境測定装置。
【請求項３】
前記移動用一輪車は、互いに直角な三軸方向の前記移動用一輪車の加速度を検出する加速度センサを有し、
前記測定位置・方向演算装置は、前記デジタルカメラの位置および撮影方向を求めるために前記加速度センサからの自律航法用情報も用いることを特徴とする、請求項１から６までの何れか記載の移動式光環境測定装置。
【発明の詳細な説明】
【技術分野】
【０００１】
この発明は、時空間的な変動の大きい森林内の光環境を迅速に測定するための光環境測定装置に関するものである。
【背景技術】
【０００２】
森林内の光環境測定は，森林のバイオマスや葉量などの指標として活用されるばかりでなく、森林内の様々な生物の生育環境の研究にも重要である。近年の森林の二酸化炭素貯蓄量・光合成能力への関心の広がりや種の多様性の重要性の高まりに伴い、光環境測定装置に対する需要は増加しつつある。また光環境測定値を人工林の適切な管理のための指標値として利用することも期待されている。
【発明の開示】
【発明が解決しようとする課題】
【０００３】
ところで、森林の状態を簡便に調査する方法としては、天頂角別の光環境情報が有効であるが、森林内の光環境は、直達光、散乱光、反射光が時空間的な変動を伴って混在しているため、この把握には光センサの位置および方向を同定した迅速な多地点反復観測が求められる。
【０００４】
しかしながら、一般に森林内はＧＰＳ（Global Positioning System）を利用できず、複雑な地形上の不均一な森林において位置を同定しながら迅速に天頂角別光環境を測定することは従来は困難であった。
【課題を解決するための手段】
【０００５】
この発明は、上記課題を有利に解決することを目的とするものであり、この発明の森林内光環境測定装置は、光環境の測定用の測定機器と、前記測定機器を搭載し、一つの車輪で走行面に接して走行する移動用一輪車と、を具え、前記測定機器は、超広角レンズを装着され、その超広角レンズを上方へ向けられたデジタルカメラと、前記デジタルカメラが撮影して出力した光データを前記デジタルカメラの位置および撮影方向と併せて記録する光データ記録装置と、を有し、前記移動用一輪車は、互いに直角な三軸周りの前記移動用一輪車の回転角を検出する回転角センサと、前記車輪の回転を検出する車輪回転センサと、前記回転角センサからの自律航法用情報と、前記車輪回転センサからの移動距離情報とに基づき、前記デジタルカメラによる撮影の際のそのデジタルカメラの位置および撮影方向を求めて前記光データ記録装置に与える測定位置・方向演算装置と、を有することを特徴とするものである。
【０００６】
かかる森林内光環境測定装置にあっては、測定機器を搭載した移動用一輪車が、測定作業者による手押しあるいは搭載モータ等の動力源で駆動されて、一つの車輪で地表面や路面や床面等の走行面に接して、森林内の道なき斜面や悪路、登山路等の走行面上を走行し、その走行中、回転角センサが、例えばその移動用一輪車の前後、左右および上下方向に延在する互いに直角な三軸周りのその移動用一輪車の回転角を検出し、車輪回転センサが、その移動用一輪車の車輪の回転を検出し、測定位置・方向演算装置が、上記回転角センサからの自律航法用情報と、上記車輪回転センサからの移動距離情報とに基づき、その移動用一輪車が搭載した測定機器のデジタルカメラによる撮影の際のそのデジタルカメラの位置および撮影方向を求めて光データ記録装置に与える。
【０００７】
そして上記移動用一輪車の走行中あるいは適宜停止しての、上記移動用一輪車が搭載した測定機器による測定の際、超広角レンズ（魚眼レンズ）を装着されてそのレンズを上向きにされたデジタルカメラが、その移動用一輪車の現在位置での実質的に全天の光環境を撮影して画像データを出力し、光データ記録装置が、デジタルカメラが撮影して出力した画像データ（光データ）をそのデジタルカメラの現在位置および撮影方向（画像上の上下左右と撮影時の方位との対応関係）と併せて記録する。このようにして記録した完全にまたは実質的に全天の光データは、例えば森林外にて同時刻に光センサで測定した光データと対比することで、林内相対照度等に変換して用いることができる。
【発明の効果】
【０００８】
従ってこの発明の森林内光環境測定装置によれば、ＧＰＳの利用できない森林内においても天頂角別光環境の空間分布を容易に測定することができ、また、位置および方向情報と光環境情報とを同時に記録するので、その光環境情報を容易に解析および利用することができ、しかも超広角レンズ（魚眼レンズ）を使用しているため一枚ずつの画像が全天の光データを記録するので、少ないデータ量で多くの情報を記録することができる。
【０００９】
なお、この発明の移動式光環境測定装置においては、前記測定位置・方向演算装置が、前記移動用一輪車の位置を継続的に求め、その位置の変化に基づき前記移動用一輪車の移動経路を求める移動経路演算部と、前記求められた移動経路を画面上に出力する移動経路表示部と、を有していても良く、このようにすれば、移動測定中の測定作業者や、その後に測定データを分析する研究者等が、移動測定中の一輪車の移動経路を画面上で確認できるので、移動測定中の測定作業者は常に現在位置を確認し得て森林内の多点測定やライン測定、面測定等を自由に行うことができるとともに森林内での遭難の危険等を免れることもでき、また測定データを分析する研究者は地形等のデータを併せて参照し得てより詳細な分析を行うことができる。
【００１０】
そして、この発明の移動式光環境測定装置においては、前記移動用一輪車が、互いに直角な三軸方向の前記移動用一輪車の加速度を検出する加速度センサを有し、前記測定位置・方向演算装置が、前記デジタルカメラの位置および撮影方向を求めるために前記加速度センサからの自律航法用情報も用いても良く、このようにすれば、加速度センサが、例えばその移動用一輪車の前後、左右および上下方向に延在する互いに直角な三軸方向の、その移動用一輪車の加速度を検出し、測定位置・方向演算装置が、前記デジタルカメラの位置および撮影方向を求めるためにその加速度も用いるので、移動用一輪車に衝撃等による加速度が生じた場合でも、デジタルカメラの位置および撮影方向を求める際の誤差を少なくすることができる。
【発明を実施するための最良の形態】
【００１１】
以下に、この発明の実施の形態を実施例によって、図面に基づき詳細に説明する。ここに、図１は、この発明の森林内光環境測定装置の一実施例としての移動式森林内光環境測定装置の外観を模式的に示す斜視図、図２は、その実施例の移動式森林内光環境測定装置の搭載機器の構成を示すブロック線図である。
【００１２】
この実施例の移動式森林内光環境測定装置は、図１に示すように、手押し用のハンドル1aと停止時用の二つの脚1b（図では片方のみ示す）とを持つフレーム１と、そのフレーム１の下部に枢支された一つだけの車輪２と、上記フレーム１上に設けられた天板３とを有して、その車輪２により走行面としての地表面Ｇに接地点Ｃで接地して測定作業者Ｗの手押し駆動で一輪走行する移動用一輪車４と、各々上記天板３上に搭載された、測定機器としてのデジタルカメラ５と、角度・加速度センサ６と、光データ記録装置および測定位置・方向演算装置としての通常のノート型パーソナルコンピュータ７並びに図示しないポータブル電源装置と、上記フレーム１の下部に搭載されて車輪２の回転を検出する車輪回転センサ８とを具えており、上記角度・加速度センサ６は内部に、互いに直角なｘ，ｙ，ｚ軸の三軸方向の移動用一輪車４の加速度を検出する加速度センサ９と、互いに直角なｘ，ｙ，ｚ軸の三軸周りの移動用一輪車４の回転角を検出する回転角センサ１０とを収納している。
【００１３】
ここで、移動用一輪車４は、市販の二輪車（例えば昭和ブリッジ販売株式会社製の二輪車 CC3-2FA）の左右方向へ延在する軸線上に並んだ元の二つの車輪を外し、代わりにそれらの車輪の中間位置に一つの車輪２のみを回転自在に取り付け、また機器を搭載し易いように元の合成樹脂製のボディを外し、代わりに平坦な合板製の天板３を、人が立ってハンドル1aを手で持った状態で概略水平になるように取り付けることで構成されている。そして車輪回転センサ８は、上記車輪２の車軸に直列に配置した二個のポテンシオメータ（例えば日本電産コパル株式会社製のCPP-45RBN 22.7ｋΩ）からなり、このポテンシオメータには角度を測定できない死角が存在するため、二個のポテンシオメータは、同時に死角とならないよう各々の死角が互いに180 度ずれて位置するように設置されている。
【００１４】
また、角度・加速度センサ６は、市販のもの（例えば株式会社データ・テック製の三軸角度センサ GU-3024）にて構成され、図１に示すように、そこに収納された加速度センサ９は、そのセンサのｘ軸が、天板3の表面に平行に移動用一輪車４の前後方向に延在する当該移動用一輪車４固有の直角座標系のｘ軸と平行に延在し、そのセンサのｙ軸が、天板3の表面に平行に移動用一輪車４の左右方向に延在する当該移動用一輪車４固有の直角座標系のｙ軸と平行に延在し、そのセンサのｚ軸が、天板3の表面に垂直に移動用一輪車４の上下方向に延在する当該移動用一輪車４固有の直角座標系のｚ軸と平行に延在するように取り付けられ、またそこに収納されたジャイロからなる回転角センサ１０は、そのセンサのｘ軸が当該移動用一輪車４固有の上記直角座標系のｘ軸と一致して前後方向に延在し、そのセンサのｙ軸が当該移動用一輪車４固有の上記直角座標系のｙ軸と一致して移動用一輪車４の左右方向に延在し、そのセンサのｚ軸が移動用一輪車４の車軸に対し車輪２の中心部分で直交して当該移動用一輪車４固有の上記直角座標系のｚ軸と一致して移動用一輪車４の上下方向に延在するように取り付けられている。そして上記図示しないポータブル電源装置は、バッテリ内蔵インバータ（例えばスワロー電機株式会社製のポータブル電源 Z-130）にて構成され、角度・加速度センサ６およびパーソナルコンピュータ７の電源としてAC100Vを出力する。
【００１５】
さらにこの実施例では、角度・加速度センサ６の内部の加速度センサ９と回転角センサ１０とがそれぞれ検出した三次元方向加速度と三次元方向角度とのデータが、RS232Cケーブルを介してパーソナルコンピュータ７に入力される。また、車輪回転センサ８を構成する二個のポテンシオメータの電源端子（端子間抵抗値固定の両端端子）同士が互いに並列に接続されて、その並列回路に20ｋΩの固定抵抗が直列に接続され、これら全体に単一乾電池四個直列による約６Ｖの電圧が印荷されており、上記二個のポテンシオメータの並列回路の両端の電圧（V0）と、それらのポテンシオメータの各々の出力端子（抵抗値可変の中間端子）の電圧（V1, V2）との計三つの電圧が、パーソナルコンピュータ７のカードスロット内に挿入されたAD変換カード（例えばラトックシステム株式会社製のREX-5054U ）を介してそれぞれ独立にパーソナルコンピュータ７に入力される。
【００１６】
さらに、デジタルカメラ５は、市販の一眼レフタイプのもので、森林内の全天の光環境の測定のために超広角レンズ（魚眼レンズ）5aを装着され、図１に示すように、この実施例ではその超広角レンズ5aが当該移動用一輪車４の上記固有の直角座標系のｚ軸と一致して上方へ向き、かつそのデジタルカメラ５の水平姿勢で上下に位置する部分が上記固有の直角座標系のｘ軸上に位置するように、角度・加速度センサ６のハウジングを介して天板３上に固定されており、そのデジタルカメラ５が森林内を撮影して出力する光データとしてのデジタル画像データは、例えばパーソナルコンピュータ７のＵＳＢ（Universal Serial Bus）端子を介してパーソナルコンピュータ７に入力される。
【００１７】
そしてパーソナルコンピュータ７は、図２に示すように、ＣＰＵ（中央処理ユニット）を持つ演算処理部7aと、液晶画面を持つ画面表示部7bと、メモリやハードディスクドライブ装置等を持つ記憶部7cと、上記カードスロットに挿入されるカードを含む入出力インターフェース7dと、キーボード等を持つ操作部7eとを有しており、これによりパーソナルコンピュータ７は、記憶部7c内にあらかじめ記憶した、当該パーソナルコンピュータ７を測定位置・方向演算装置として機能させる移動測定プログラムと当該パーソナルコンピュータ７を光データ記録装置および光データ解析装置として機能させる光データ記録・解析プログラムとの二種類のプログラムに基づいて、後述の如く、上記各センサ８〜１０からのデータを、デジタルカメラ５からの光データと併せて画面表示部7bにより画面表示するとともに記憶部7c内に記録し、さらにそれらのデータから森林内の光環境を求めて出力する。なお、車輪回転センサ８を構成する上記二個のポテンシオメータの出力電圧V1, V2については、V1/V0 およびV2/V0 の値から、死角でない方の出力を選んで車輪２の回転角に換算する。
【００１８】
この実施例の移動式森林内光環境測定装置を用いて森林内の光環境の移動測定を行う際には、先ず、パーソナルコンピュータ７の電源を入れて上記移動測定プログラムを起動するとともに、角度・加速度センサ６の電源を入れて加速度センサ９と回転角センサ１０とを起動し、上記プログラムに基づいて作動するパーソナルコンピュータ７は、そのセンサ起動の際のｘ軸、ｙ軸およびｚ軸の位置を基本座標軸として使用する。
【００１９】
次いで、測定作業者が当該移動用一輪車４を手押しで走行させると、パーソナルコンピュータ７は、車輪回転センサ８を構成するポテンシオメータの出力データから換算される車輪２の回転角と車輪２の外径とから当該移動用一輪車４の移動距離を時々刻々と求め、その移動距離を、回転角センサ１０の出力データから得た当該移動用一輪車４の姿勢の三次元方向角度を用いて上記基本座標軸のｘ軸、ｙ軸およびｚ軸方向の各成分に分解してデジタルカメラ５の現在位置を求め、また回転角センサ１０の出力データから得た当該移動用一輪車４の姿勢の三次元方向角度を用いて現在のデジタルカメラ５の撮影方向の天頂角および方位角を求めて、それらを記憶部7cのハードディスクドライブ装置でハードディスクに記録する。
【００２０】
そして測定作業者が、当該移動用一輪車４の移動走行中、あるいは適宜停止させたときに、パーソナルコンピュータ７は、デジタルカメラ５が超広角レンズ（魚眼レンズ）5aを用いて撮影して出力する完全にまたは実質的に全天の光データとしての画像データを、所定のデータ形式に処理して測定結果として、上記求めたデジタルカメラ５の現在位置および現在の撮影方向（画像上の上下左右と撮影時の方位との関係）と対応づけて記憶部7cのハードディスクドライブ装置でハードディスクに記録する。
【００２１】
なお、天板３を当該移動用一輪車４の前後方向の地表面Ｇの傾きに対し正確に平行に維持しながら移動用一輪車４を手押しで走行させることは期待できないので、観測作業者毎に移動用一輪車４のハンドル1aを手で保持した時の平地での地表面Ｇに対する天板３の傾きをあらかじめ調べてパーソナルコンピュータ７に入力しておいて、パーソナルコンピュータ７が、回転角センサ１０の出力データから得た回転角をその傾き分補正する。
【００２２】
また、車輪回転センサ８の出力データに基づく車輪２の回転状態と、加速度センサ９の出力データに基づく加速度の発生状態とが対応しない場合（例えば車輪２が回転していないのに前後方向の加速度が検出された場合）には、移動用一輪車４に衝撃等による加速度が生じていて車輪２が実際の移動距離分回転していないと推定されるので、パーソナルコンピュータ７は、加速度センサ９が検出した加速度を二階積分してその加速度方向の移動距離を求め、その加速度から求めた移動距離を用いて、先に車輪２の回転角から求めた移動距離を補正する。
【００２３】
さらに、パーソナルコンピュータ７は、測定機器５の現在位置の変化から当該移動用一輪車４の移動軌跡を求めるとともに、画面表示部7bの液晶画面上にその求めた当該移動用一輪車４の移動軌跡を地図あるいは平面図上で表示し、その画面表示部7bの液晶画面上に、測定機器５の上記測定結果も同時に、あるいは画面を切り替えて表示する。
【００２４】
一方、別途森林外の開地では、上記デジタルカメラ５と同一仕様のデジタルカメラが撮影方向を鉛直上方へ向けられて設置され、そのデジタルカメラが所定時間ごとに撮影して出力した林外光データを、データロガー（記録計）（例えば米国LI-COR, inc.製で盟和商事株式会社が輸入販売しているデータロガー LI-1400）が時刻データとともに記録する。
【００２５】
そして、パーソナルコンピュータ７は、当該移動式光環境測定装置での移動測定終了後に、上記光環境解析プログラムを実行することにて、記憶部7cのハードディスクドライブ装置でハードディスクから、測定中のデジタルカメラ５の位置および撮影方向と、デジタルカメラ５が撮影した全天の画像データ（光データ）とを読み出すとともに、上記データロガーから林外光データを林外光測定値として時刻データとともに入力して、デジタルカメラ５の全天画像データ上の輝度値を上記林外光測定値で除して相対照度値に換算し、それを森林内光環境特性の時空間分布データとして、画面表示部7bの液晶画面上への表示や記憶部7cのハードディスクドライブ装置でのハードディスクへの記録等の形態で出力する。
【００２６】
従って、この実施例の移動式光環境測定装置によれば、ＧＰＳの利用できない森林内においても天頂角別光環境の空間分布を容易に測定することができ、また、位置および方向情報と光環境情報とを同時に記録するので、その光環境情報を容易に解析および利用することができ、しかも超広角レンズ（魚眼レンズ）5aを使用しているため一枚ずつの画像が全天の光データを記録するので、少ないデータ量で多くの情報を記録することができる。
【００２７】
また、この実施例の移動式光環境測定装置によれば、測定位置・方向演算装置としてのパーソナルコンピュータ７が、移動用一輪車４の位置を継続的に求め、その位置の変化に基づき移動用一輪車４の移動経路を求める移動経路演算部として機能するとともに、その求められた移動経路を画面上に出力する移動経路表示部としても機能することから、移動測定中の測定作業者や、その後に測定データを分析する研究者等が、移動測定中の移動用一輪車４の移動経路を画面上で確認できるので、移動測定中の測定作業者は常に現在位置を確認し得て、森林内の多点測定やライン測定、面測定等を自由に行うことができるとともに森林内での遭難の危険等を免れることもでき、また測定データを分析する研究者は地形等のデータを併せて参照し得て、より詳細な分析を行うことができる。
【００２８】
そして、この実施例の移動式光環境測定装置によれば、加速度センサ９が、移動用一輪車４の前後、左右および上下方向に延在する互いに直角な三軸方向の、その移動用一輪車４の加速度を検出し、測定位置・方向演算装置としてのパーソナルコンピュータ７が、デジタルカメラ５の位置および撮影方向を求めるためにその加速度も用いるので、移動用一輪車４に衝撃等による加速度が生じた場合でも、デジタルカメラ５の位置および撮影方向を求める際の誤差を少なくすることができる。
【００２９】
以上、図示例に基づき説明したが、この発明は上述の例に限定されるものでなく、例えば、超広角レンズを装着されたデジタルカメラは、静止画用でなく動画用のいわゆるビデオカメラでも良く、また測定機器として、超広角レンズを装着されたデジタルカメラに加えて、光量子センサ等の他の光センサをさらに具えていても良い。
【００３０】
さらに、この発明においては、移動用一輪車は、測定作業者の手押しを補助するためあるいは、測定作業者がハンドルを保持するだけで自走するための、モータ等の動力源を搭載していても良い。そしてこの発明においては、移動用一輪車は手押しに限らず、馬やロバ等の動物が装具でハンドル等を保持して走行させるものとしても良い。
【産業上の利用可能性】
【００３１】
かくしてこの発明の森林内光環境測定装置によれば、ＧＰＳの利用できない森林内においても天頂角別光環境の空間分布を容易に測定することができ、また、位置および方向情報と光環境情報とを同時に記録するので、その光環境情報を容易に解析および利用することができ、しかも超広角レンズ（魚眼レンズ）を使用しているため一枚ずつの画像が全天の光データを記録するので、少ないデータ量で多くの情報を記録することができる。
【図面の簡単な説明】
【００３２】
【図１】この発明の森林内光環境測定装置の一実施例としての移動式森林内光環境測定装置の外観を模式的に示す斜視図である。
【図２】上記実施例の移動式森林内光環境測定装置の搭載機器の構成を示すブロック線図である。
【符号の説明】
【００３３】
１  フレーム
1a  ハンドル
1b  脚
２  車輪
３  天板
４  台車
５  デジタルカメラ
5a  超広角レンズ
６  角度・加速度センサ
７  パーソナルコンピュータ
7a  演算処理部
7b  画面表示部
7c  記憶部
7d  入出力インターフェース
7e  操作部
８  車輪回転センサ
９  加速度センサ
１０  回転角センサ
【図１】
2005291734.tif 000003
【図２】
2005291734.tif 000004